(57)【要約】【課題】  ギフト商品を送った者や送られた者が、ギフト商品の画像を記録に残すことができるようにした写真付きギフト商品セットの販売システムを提供する。【解決手段】  送り主によって操作されるクライアントコンピュータ９と、ギフト商品取扱店に設けられたサーバコンピュータ８とがインターネット等の電気通信回線を介して接続され、前記サーバコンピュータ８は送り主の住所、氏名等と、受け取り主の住所、氏名等の送り主情報を管理するメモリＭを有し、前記サーバコンピュータ８は、前記ギフト商品の写真をメモリＭに記憶し、前記サーバコンピュータ８は、ギフト商品の写真を前記送り主に電子メールで送信する。【選択図】図７
2010092452.tif 000002
【特許請求の範囲】
【請求項１】
ギフト商品に、当該ギフト商品を撮影した写真を付随した写真付きギフト商品セットを販売するギフト商品販売システムであって、
送り主によって操作されるクライアントコンピュータと、ギフト商品取扱店に設けられたサーバコンピュータとがインターネット等の電気通信回線を介して接続され、
前記サーバコンピュータは送り主の住所、氏名等の送り主情報と、受け取り主の住所、氏名等の受け取り主情報を管理するメモリを有し、
前記サーバコンピュータは、前記ギフト商品の写真をメモリに記憶し、
前記サーバコンピュータは、ギフト商品の写真を前記送り主に電子メールで送信する機能を備えたことを特徴とする写真付きギフト商品販売システム。
【請求項２】
ギフト商品に、当該ギフト商品を撮影した写真を付随した写真付きギフト商品セットを販売する植物販売システムであって、
送り主によって操作されるクライアントコンピュータと、ギフト商品取扱店に設けられたサーバコンピュータとがインターネット等の電気通信回線を介して接続され、
前記サーバコンピュータは送り主の住所、氏名等の送り主情報と、受け取り主の住所、氏名等の受け取り主情報を管理するメモリを有し、
前記サーバコンピュータは、前記ギフト商品の写真をメモリに記憶し、
前記サーバコンピュータは、ギフト商品の写真を受け取り主に電子メールで送信する機能を備えたことを特徴とする写真付きギフト商品販売システム。
【請求項３】
ギフト商品に、当該ギフト商品を撮影した写真を付随した写真付きギフト商品セットを販売する植物販売システムであって、
送り主によって操作されるクライアントコンピュータと、ギフト商品取扱店に設けられたサーバコンピュータとがインターネット等の電気通信回線を介して接続され、
前記サーバコンピュータは送り主の住所、氏名等の送り主情報と、受け取り主の住所、氏名等の受け取り主情報を管理するメモリを有し、
前記サーバコンピュータは、前記ギフト商品の写真をメモリに記憶し、
前記サーバコンピュータは、ギフト商品の写真を送り主、及び受け取り主に電子メールで送信する機能を備えたことを特徴とする写真付きギフト商品販売システム。
【請求項４】
前記サーバコンピュータは、前記写真のレイアウト等のデザインを作成してメモリに保存することを特徴とする請求項１乃至請求項３の何れか１項に記載の写真付きギフト商品販売システム。
【請求項５】
一般人が所有する前記クラアントコンピュータが前記写真の背景やレイアウト等のデザインを作成することを特徴とする請求項１乃至請求項３の何れか１項に記載の写真付きギフト商品販売システム。
【請求項６】
前記サーバコンピュータは、前記ギフト商品の写真をプリントアウトするステップを備え、プリントアウトされた写真を、ギフト商品取扱店が受け取り主にギフト商品と一緒に配送することを特徴とする請求項１乃至請求項５の何れか１項に記載の写真付きギフト商品販売システム。
【請求項７】
受け取り主が前記ギフト商品を受け取る前に、受け取り主が前記サーバコンピュータから前記電子メールを受信できることを特徴とする請求項１乃至請求項６の何れか１項に記載の写真付きギフト商品販売システム。
【請求項８】
受け取り主は、前記ギフト商品が配達される時を、前記サーバコンピュータから送信される電子メールによって事前に知ることができることを特徴とする請求項１乃至請求項７の何れか１項に記載の写真付きギフト商品販売システム。
【請求項９】
前記写真は、送るべき前記ギフト商品の特徴を表した写真を含むことを特徴とする請求項１乃至請求項８の何れか１項に記載の写真付きギフト商品販売システム。
【請求項１０】
前記ギフト商品は、切花、生花、非腐食性の植物、観葉植物、洋蘭等の鉢物、並びに造花等の植物であり、前記ギフト商品取扱店は、花店等の小売店や花等の加工店であることを特徴とする請求項１乃至請求項９の何れか１項に記載の写真付きギフト商品販売システム。
【請求項１１】
前記ギフト商品は、ケーキ、バレンタインデーのチョコレート等の贈り物、ホワイトデーのマシュマロ等の贈り物、婚約指輪、誕生日の贈り物、母の日及び父の日等の贈り物であることを特徴とする請求項１乃至請求項９の何れか１項に記載の写真付きギフト商品販売システム。
【請求項１２】
前記写真は、写真に付随したメッセージを表示するメッセージ表示部、前記送り主の氏名等の送り主情報を表示する送り主情報表示部を備え、これら写真、メッセージ表示部、及び送り主情報表示部のレイアウト等のデザインは、送り主がクライアントコンピュータで作成して前記ギフト商品取扱店のサーバコンピュータにインターネット等の電気通信回線を介して提供できることを特徴とする請求項５に記載の写真付きギフト商品販売システム。
【請求項１３】
前記写真は、二次元コードを用いて再生可能にしたことを特徴とする請求項１乃至請求項１２の何れか１項に記載の写真付きギフト商品販売システム。
【請求項１４】
前記メッセージ等の情報は、二次元コード、動画、ボイスを用いて再生可能にしたことを特徴とする請求項１乃至請求項１２の何れか１項に記載の写真付きギフト商品販売システム。
【発明の詳細な説明】
【技術分野】
【０００１】
本発明は、ギフト商品と写真とをセットにして販売可能な写真付きギフト商品セットの販売システムに関するものである。
【背景技術】
【０００２】
ギフト商品として、切花、生花、非腐食性の植物、観葉植物、洋蘭等の鉢物、並びに造花等の植物が一般に用いられている。
【発明の開示】
【発明が解決しようとする課題】
【０００３】
しかしながら、前記植物は、時間の経過によって枯れるために、植物を送った者や送られた者は、時間の経過に伴って、どのような植物を贈ったか、又は、送られたかを忘れてしまい易い。しかし、植物を贈られた者が、自分にとって大切な人の場合には、いつまでも記録に残しておきたいという心理があった。又、特許文献１には、ギフト商品に関する発明が開示されている。しかし、ギフト商品の画像を残すようにした発明は従来知られてはいなかった。
【０００４】
【特許文献１】特開２００７−２１３４２９号公報
【０００５】
本発明は、前記従来技術に鑑みてなされたもので、その目的は、ギフト商品を送った者や送られた者が、ギフト商品の画像を記録に残すことができるようにした写真付きギフト商品セットの販売システムを提供することを目的とするものである。
【課題を解決するための手段】
【０００６】
請求項１に記載の発明は、ギフト商品に、当該ギフト商品を撮影した写真を付随した写真付きギフト商品セットを販売する写真付きギフト商品販売システムであって、
送り主によって操作されるクライアントコンピュータと、ギフト商品取扱店に設けられたサーバコンピュータとがインターネット等の電気通信回線を介して接続され、
前記サーバコンピュータは送り主の住所、氏名等と、受け取り主の住所、氏名等の送り主情報を管理するメモリを有し、
前記サーバコンピュータは、前記ギフト商品の写真をメモリに記憶し、
前記サーバコンピュータは、ギフト商品の写真を前記送り主に電子メールで送信することを備えたことを特徴とするものである。
【０００７】
請求項２に記載の発明は、ギフト商品に、当該ギフト商品を撮影した写真を付随した写真付きギフト商品セットを販売する写真付きギフト商品販売システムであって、
送り主によって操作されるクライアントコンピュータと、ギフト商品取扱店に設けられたサーバコンピュータとがインターネット等の電気通信回線を介して接続され、
前記サーバコンピュータは送り主の住所、氏名等と、受け取り主の住所、氏名等の送り主情報を管理するメモリを有し、
前記サーバコンピュータは、前記ギフト商品の写真をメモリに記憶し、
前記サーバコンピュータは、ギフト商品の写真を受け取り主に電子メールで送信することを備えたことを特徴とするものである。
【０００８】
請求項３に記載の発明は、ギフト商品に、当該ギフト商品を撮影した写真を付随した写真付きギフト商品セットを販売する植物販売システムであって、
送り主によって操作されるクライアントコンピュータと、ギフト商品取扱店に設けられたサーバコンピュータとがインターネット等の電気通信回線を介して接続され、
前記サーバコンピュータは送り主の住所、氏名等の送り主情報と、受け取り主の住所、氏名等の受け取り主情報を管理するメモリを有し、
前記サーバコンピュータは、前記ギフト商品の写真をメモリに記憶し、
前記サーバコンピュータは、ギフト商品の写真を送り主、及び受け取り主に電子メールで送信する機能を備えたことを特徴とするものである。
【０００９】
請求項４に記載の発明は、請求項１乃至請求項３の何れか１項に記載の写真付きギフト商品販売システムにおいて、前記サーバコンピュータは、前記写真のレイアウト等のデザインを作成してメモリに保存することを特徴とするものである。
【００１０】
請求項５に記載の発明は、請求項１乃至請求項３の何れか１項に記載の写真付きギフト商品販売システムにおいて、一般人が所有するクラアントコンピュータが前記写真の背景やレイアウト等のデザインを作成することを特徴とするものである。
【００１１】
請求項６に記載の発明は、請求項１乃至請求項５の何れか１項に記載の写真付きギフト商品販売システムにおいて、前記サーバコンピュータは、前記ギフト商品の写真をプリントアウトするステップを備え、プリントアウトされた写真は、ギフト商品取扱店が受け取り主にギフト商品と一緒に配送することを特徴とするものである。
【００１２】
請求項７に記載の発明は、請求項１乃至請求項６の何れか１項に記載の写真付きギフト商品販売システムにおいて、受け取り主が前記ギフト商品を受け取る前に、受け取り主が前記サーバコンピュータから前記電子メールを受信できることを特徴とするものである。
【００１３】
請求項８に記載の発明は、請求項１乃至請求項７の何れか１項に記載の写真付きギフト商品販売システムにおいて、受け取り主は、前記ギフト商品が配達される時を、前記サーバコンピュータから送信される電子メールによって事前に知ることができることを特徴とするものである。
【００１４】
請求項９に記載の発明は、請求項１乃至請求項８の何れか１項に記載の写真付きギフト商品販売システムにおいて、前記写真は、送るべき前記ギフト商品の特徴を表した写真を含むことを特徴とするものである。
【００１５】
請求項１０に記載の発明は、請求項１乃至請求項９の何れか１項に記載の写真付きギフト商品販売システムにおいて、前記ギフト商品は、切花、生花、非腐食性の植物、観葉植物、洋蘭等の鉢物、並びに造花等の植物であり、前記ギフト商品取扱店は、花店等の小売店や花等の加工店であることを特徴とするものである。
【００１６】
請求項１１に記載の発明は、請求項１乃至請求項１０の何れか１項に記載の写真付きギフト商品販売システムにおいて、前記ギフト商品は、ケーキ、バレンタインデーのチョコレート等の贈り物、ホワイトデーのマシュマロ等の贈り物、婚約指輪、誕生日の贈り物、母の日及び父の日等の贈り物であることを特徴とするものである。
【００１７】
請求項１２に記載の発明は、請求項５に記載の写真付きギフト商品販売システムにおいて、前記写真は、写真に付随したメッセージを表示するメッセージ表示部、前記送り主の氏名等の送り主情報を表示する送り主情報表示部を備え、これら写真、メッセージ表示部、及び送り主情報表示部のレイアウト等のデザインは、送り主がクライアントコンピュータで作成して前記ギフト商品取扱店のサーバコンピュータにインターネット等の電気通信回線を介して提供できることを特徴とするものである。
【００１８】
請求項１３に記載の発明は、請求項１乃至請求項１２の何れか１項に記載の写真付きギフト商品販売システムにおいて、写真は、二次元コードを用いて再生可能にしたことを特徴とするものである。
【００１９】
請求項１４に記載の発明は、請求項１乃至請求項１２の何れか１項に記載の写真付きギフト商品販売システムにおいて、メッセージ等の情報は、二次元コード、動画、ボイスを用いて再生可能にしたことを特徴とするものである。
【発明の効果】
【００２０】
請求項１に記載の発明によれば、ギフト商品の送り主は、写真によって、ギフト商品を記録することができる。
【００２１】
請求項２に記載の発明によれば、ギフト商品の受け取り主は、送られたギフト商品を写真によって、記録することができる。
【００２２】
請求項３に記載の発明によれば、ギフト商品の送り主、及び受け取り主は、ギフト商品を写真によって、記録することができる。
【００２３】
請求項４記載の発明によれば、ギフト商品取扱店のサーバコンピュータが写真のレイアウトをデザインすることができる。
【００２４】
請求項５に記載の発明によれば、一般人がクライアントコンピュータを用いて写真のレイアウトをデザインすることができる。
【００２５】
請求項６に記載の発明によれば、プリントアウトされた写真はギフト商品と一緒に受け取り主へ配送される。
【００２６】
請求項７に記載の発明によれば、ギフト商品の受け取り主は、ギフト商品が配送される前に写真を受け取ることができる。
【００２７】
請求項８に記載の発明によれば、ギフト商品の受け取り主は、ギフト商品が配送される時を電子メールによってすることができる。
【００２８】
請求項９に記載の発明によれば、写真はギフト商品の特徴を表現することができる。
【００２９】
請求項１０に記載の発明によれば、ギフト商品として花等の植物をおくることができる。
【００３０】
請求項１１に記載の発明によれば、ギフト商品として、ケーキ、バレンタインデーのチョコレート等の贈り物、ホワイトデーのマシュマロ等の贈り物、婚約指輪、誕生日の贈り物、母の日及び父の日等の贈り物をおくることができる。
【００３１】
請求項１２に記載の発明によれば、写真、メッセージ表示部、及び送り主情報表示部のレイアウト等のデザインは、ギフト商品の送り主が作成して前記ギフト商品取扱店にインターネット等の電気通信回線を介して提供できる。
【００３２】
請求項１３に記載の発明によれば、二次元コードを用いて写真を再生することができる。
【００３３】
請求項１４に記載の発明によれば、二次元コード、動画、ボイスを用いて、メッセージを再生することができる。
【発明を実施するための最良の形態】
【００３４】
本実施形態は、ギフト商品に、当該ギフト商品を撮影した写真を付随した写真付きギフト商品セットを販売するギフト商品販売システムである。ギフト商品としては、切花、生花、非腐食性の植物、観用植物、洋蘭等の鉢物、並びに造花等の植物、ケーキ、バレンタインデーのチョコレート等の贈り物、ホワイトデーのマシュマロ等の贈り物、婚約指輪、誕生日の贈り物、母の日及び父の日等の贈り物等が該当するが、以下の実施形態では、ギフト商品として、切花、生花、非腐食性の植物、観葉植物、洋蘭等の鉢物、並びに造花等の植物を選択した場合について説明する。
【００３５】
図１は、写真付きの植物セット１の外観図である。当該植物セット１は、植物２と当該植物２を写した写真３とがセットになったものである。植物２には、花を付けた植物や、花を有さない、茎、及び葉からなる植物や、鉢植えの植物等が該当する。植物２としては、切花、生花、観葉植物、鉢物の植物、並びに造花等が該当する。当該植物の種類を図１乃至図４に例示する。
【００３６】
前記写真３は、前記植物２を撮影したものである。
【００３７】
図５に示す写真は、ギフト商品の送り主用の写真３を示す。写真３には、送り主の氏名、住所を書き込むための余白４、受け取り主の氏名を書き込むための余白５、日付等を書き込むための余白６を設けることができる。前記送り主の氏名、住所によって請求項１の送り主情報が構成される。又、同図５に示すように、カレンダーＫを設けることも可能である。
【００３８】
図６は、ギフト商品の受け取り主用の写真３を示す。この写真３には、送り主の氏名を書き込むための余白４、受け取り主の氏名を書き込むための余白５、日付等を書き込むための余白６の他に、送り主から受け取り主へ送るためのメッセージを書き込むための余白７が設けられている。メッセージを書き込むための余白７によって、請求項１１のメッセージ表示部が構成される。この写真３は、図１に示すように、受け取り主へ配送される植物と共に送られても良いし、又は、後述のように、電子メールによって、受け取り主へ送信するようにしても良い。又、同図６に示すように、カレンダーＫを設けることも可能である。
【００３９】
図７は、写真付き植物セット１の販売システムの全体構成を示す図である。当該販売システムの中央には、サーバコンピュータ８が設けられている。サーバコンピュータ８は、当該販売システムを管理するものである。サーバコンピュータ８は、植物取扱業者Ｓに設けられている。
【００４０】
又、花店等の小売店や花等の加工店Ｈ、並びに一般人には、クライアントコンピュータ９が設けられている。サーバコンピュータ８及びクライアントコンピュータ９は、インターネット等の電気通信回線によって接続されている。
【００４１】
前記サーバコンピュータ８は、前記写真付き植物セット１の送り主の住所、氏名等の送り主情報、及び受け取り主の住所、氏名等の受け取り主情報が記憶されるメモリＭを有している。サーバコンピュータ８は、前記植物の写真３をメモリＭに記憶し、又、写真３の背景やレイアウト等のデザインを作成してメモリＭに記憶し、更に、写真３を送り主、受け取り主へ送信する機能を有している。
【００４２】
前記写真３のレイアウト等のデザイン並びに写真３の背景等は、サーバコンピュータ８に内蔵されている所定のプログラムソフトによって実行されるものである。
【００４３】
そして、写真の背景やレイアウト等のデザインは、植物取扱業者Ｓがサーバコンピュータ８によって実行することができるものである。又、写真３の背景やレイアウト等のデザインは、一般人のクライアントコンピュータ９、又は、花等の小売店や花等の加工店Ｈのクライアントコンピュータ９からインターネットを介してサーバコンピュータ８にアクセスすることによって、サーバコンピュータ８に内蔵の前記プログラムソフトによって実行することができるものである。
【００４４】
写真３の背景やレイアウト等のデザインは、複数のパターンが予め用意され、これらのパターンの内から、利用者の年齢、性別、趣味、嗜好、季節、並びに、写真３の利用目的等に応じて好みのパターンを選択することができる。
【００４５】
次に、図８に示すフローチャートに基づき、作用について説明する。ステップＳ１において、送り主が、サーバコンピュータ８にアクセスして、送るべき植物を入力し、且つ、送り主の住所、氏名、並びに、受け取り主の住所、氏名等の送り主情報を入力する。
【００４６】
ステップＳ２において、サーバコンピュータ８は、前記送るべき植物、送り主の住所、氏名等の送り主情報、並びに、受け取り主の住所、氏名等の受け取り主情報をメモリＭに記憶する。
【００４７】
ステップＳ３において、花店等の小売店や花等の加工店Ｈは、送るべき植物の写真３を撮影し、更に、必要に応じて、図５に示すように、写真３、送り主の氏名を書き込むための余白４、受け取り主の氏名を書き込むための余白５、日付等を書き込むための余白６の他に、送り主から受け取り主へ送るためのメッセージを書き込むための余白７にレイアウト等の任意のデザインを加えてメモリＭに保存する。
【００４８】
ステップＳ４において、サーバコンピュータ８は、電子メールによって、前記植物の写真３を送り主へ送信する。
【００４９】
送り主は、電子メールで送信された写真３をプリントアウトしてアルバム等に保存したり、或いは、電子メールで送信された写真３を送り主のクライアントコンピュータ９のメモリに保存する。これによって、送り主は、自分が送った植物を長期的に保存することができる。
【００５０】
次に、ステップＳ５において、花店等の小売店や花等の加工店Ｈは、受け取り主へ植物を配送する。この場合、花店等の小売店や花等の加工店Ｈは、前述のように撮影された植物の写真３をプリントアウトし、図１に示すように、プリントアウトされた写真は、植物と共に受け取り主へ配送しても良いが、植物の写真３は、電子メールによって、受け取り主へ送信するようにしても良い。植物と共に写真３を配送する場合、図１に示すように、ラッピングＲの外側に写真を付随させても良いが、ラッピングＲの内側に写真を付随させても良い。
【００５１】
植物の写真３が電子メールによって受け取り主へ送信される場合、電子メールは、受け取り主へ植物が配達される前に事前に送信されるようにしても良い。この場合、電子メールには、植物が実際に配達される時（月日）を事前に通知する内容を含ませても良い。
【００５２】
このように、植物の写真３を電子メールによって、受け取り主へ送信するようにした場合、受け取り主は、植物の写真３を自己のクライアントコンピュータ９に保存することによって、写真３を長期的に保存することができる。
【００５３】
このように、植物の写真３を電子メールによって、受け取り主へ送信するようにした場合、図９に示すように、二枚綴りの写真３、１０を送信し、一方の写真３は、受け取り主が保存し、他方の写真１０は、送り主へ電子メールによって送信する礼状として用いられることができるように、お礼のメッセージを書き込むための余白１１を設けるようにしても良い。
【００５４】
以上の説明においては、一つの植物を販売する場合について説明したが、同様の形態の植物を複数販売する場合にも適用できるものである。
【００５５】
つまり、母の日に送るカーネーション等の植物のように、同様の形態の植物を多数販売する場合、植物に付随させる写真は、同様の多数の植物の内の一つの植物の写真を撮影し、その写真を、同様の植物全体に付随させるようにしても良い。
【００５６】
この場合、写真３は、複数の植物の内の一の植物を実際に撮影したものであるが、残りの植物については実際に撮影した写真ではない。しかし、この場合の写真３は、同様の植物の特徴を表したものであって、この写真３は請求項６に記載の写真に該当する。
【００５７】
又、写真３は、植物を実際に撮影したものではなく、植物の特徴を例えば、イラスト等で表示したイメージであっても良い。
【００５８】
更に、クライアントコンピュータ９としては、パソコン、又は携帯電話を含むものとする。
【００５９】
又、以上の説明では、植物取扱業者Ｓのサーバコンピュータ８が、写真３に対して、背景やレイアウト等のデザインを加えた場合について説明した。しかし、写真３の送り主が、自己のクライアントコンピュータ９に所定のプログラムソフトを内蔵し、このプログラムソフトによって、自己の好みに合うように、写真３に対して背景やレイアウト等のデザインを加えることができる。
【００６０】
そして、このように、送り主が、自己のクライアントコンピュータ９によってデザイン等された写真は、クライアントコンピュータ９からインターネットを介してサーバコンピュータ８に送信され、サーバコンピュータ８から受け取り主へ送信されるようにすることもできる。
【００６１】
又、以上説明した、写真の送り主、及び写真の受け取り主は、予め、植物取扱業者Ｓのサーバコンピュータ８に会員として登録されていても良いし、又は、登録されていない場合であっても、この発明は適用できるものである。
【００６２】
更に、以上の説明では、サーバコンピュータ８が植物取扱業者Ｓに設けられた場合について説明したが、サーバコンピュータ８は、システム全体を管理するコンピュータであるために、植物取扱業者Ｓ以外の箇所に設けることができる。
【００６３】
更に、以上の説明では、ギフト商品として、花等の植物に適用した場合について説明したが、ギフト商品として、ケーキ等の他のギフト商品に適用する場合には、植物取扱業者Ｓがギフト商品取扱業者になるものである。
【００６４】
又、写真は、二次元コード（ＱＲコード）を用いて再生することも可能である。更に又、メッセージ等の情報は、二次元コード、動画、ボイスを用いて再生することも可能である。又、メロディー情報を付加してメロディを再生するようにすることも可能である。又、写真や、メッセージ等の情報を電報の形態で送ることも可能である。更に又、花の名称を付して相手方に送ることも可能である。
【図面の簡単な説明】
【００６５】
【図１】植物と写真とを一緒にした写真付き植物セットの外観図である。
【図２】植物の種類を示す外観図である。
【図３】植物の種類を示す外観図である。
【図４】植物の種類を示す外観図である。
【図５】送り主用の写真の正面図である。
【図６】受け取り主用の写真の正面図である。
【図７】写真付き植物セットの販売システムの全体図である。
【図８】フローチャートである。
【図９】送り主用の写真を二枚綴りにした正面図である。
【符号の説明】
【００６６】
１  植物と写真とを一緒にした写真付き植物セット
２  植物
３  写真
４  送り主の氏名を書き込むための余白
５  受け取り主の氏名を書き込むための余白
６  日付を書き込むための余白
７  メッセージを書き込むための余白
８  サーバコンピュータ
９  クライアントコンピュータ
１１  メッセージを書き込むための余白
Ｈ  花等の小売店、花等の加工店
Ｓ  植物取扱業者
【図１】
2010092452.tif 000003
【図２】
2010092452.tif 000004
【図３】
2010092452.tif 000005
【図４】
2010092452.tif 000006
【図５】
2010092452.tif 000007
【図６】
2010092452.tif 000008
【図７】
2010092452.tif 000009
【図８】
2010092452.tif 000010
【図９】
2010092452.tif 000011